(57)【要約】      （修正有）【課題】ゴルフをプレーする際に必要なティー、グリーンマーカー及びゴルフ用フォークを一箇所にまとめて収納し、衣服やベルト等に装着でき、且つプレーのオン・オフに対応した携帯装置を提供する。【解決手段】ゴルフ小物を形状及び性質に合わせ反転式ティー収納部（４）とマーカー及びフォークを収納する本体部（９）を設け、複数の装着方法が可能なベルト通し（１０）によって腰位置に装着できる様にした。またベルト通しはベルトが無くても直接衣類への装着を可能とした。【選択図】図１
0003141531.tif 000002
【実用新案登録請求の範囲】
【請求項１】
板状体の片方側にてゴルフティーの保持部が付設された反転可能なゴルフティー収納部を含むかぶせ蓋部と板状体の他方側には磁性体にて鉄など磁性に反応する素材で出来たグリーンマーカー及びゴルフ用フォークを着脱自在とする保持部を持つ本体部から構成されており、この板状体が中央部を境に折りたたみ式で且つ腰位置に装着されるよう構成された特徴とするゴルフ小物携帯装置。
【請求項２】
ゴルフティー収納部は反転式で状況に合わせてかぶせ蓋部の外・内側へ折りたたみが可能という特徴を有する請求項１に記載の携帯装置。
【請求項３】
本体部の背面にあるベルト通しは固定具の着脱により複数の腰位置への取り付け方法があり、更にはこのベルト通しを直接ベルト又は衣服等に差し込んでの使用も可能という特徴を有する請求項１または２に記載の携帯装置。
【考案の詳細な説明】
【技術分野】
【０００１】
本考案はゴルフのプレー時に必要なゴルフティーやグリーンマーカーなどの小物を携帯することができるゴルフ用品の携帯装置に関する。
【背景技術】
【０００２】
ゴルフのプレーに必要とされるゴルフティー（以下ティー）、グリーンマーカー（以下マーカー）、ゴルフ用フォーク（以下フォーク）はズボンなど衣類のポケットに入れて保持することが多く、衣類の汚れや目的物の取り出しに時間が掛かるという問題があった。従来にもこれらの携帯装置の発明があったが、個々又はセットに対応するものであり全てを収納できるものは数少なかった。その中でも特許文献１・文献２のような発明があるが、目的物のスムーズな取り出しとスウィングなどのプレーに支障の無い機能性、且つ不用時の収納性を兼ね揃えたものは無かった。
【特許文献１】特開２００６−３４９３７号公報
【特許文献２】実登３０４３４３８号公報
【考案の開示】
【考案が解決しようとする課題】
【０００３】
通常、ティーなどの小物は衣服のポケットなどに保持するのでその都度用途に合わせた物を取り出さなければならない。
【０００４】
地面に刺しこむティーは土が付いたまま保持すると衣服のポケットの入り口付近及び中が汚れる。
【０００５】
プレー終了後には個々にゴルフバックなどに収納する為、次回プレーの際には新たにそれぞれを探さなくてはならない。
【課題を解決するための手段】
【０００６】
前記課題を解決するために本考案においてはロング・ショートのティー専用保持部を有する反転式収納部と磁性に反応する素材で出来たマーカー及びフォークが着脱可能な磁石内蔵の本体部を設けた。
【０００７】
複数の装着方法を持つベルト通しを使って体の中心である腰位置に装着可能とした。
【０００８】
プレーのオン・オフに合わせてティー収納部が反転する機能を設けた。
【考案の効果】
【０００９】
ティー収納部とマーカー、フォーク収納部の２層に分ける事により装置のコンパクト化を図りそれを腰位置に装着することによって状況に合わせて素早く目的物が取り出せ、且つ衣類の汚れも解消。本体部に磁石を内蔵することによってよりスムーズな着脱を可能とした。
【００１０】
ティー収納部を反転式にする事によりプレーのオフの際にはかぶせ蓋の内側に収納でき、ティー紛失防止となる。更には全ての小物を装置に装着したまま保管可能としたので装置ごとゴルフバッグなどに収納できるので次回プレー時にも素早く全てを取り出すことを可能とした。
【００１１】
ベルト通しは固定具の着脱により複数の装着方法が可能で使用者の服装又は好みに合わせて使用可能とした。
【考案を実施するための最良の形態】
【００１２】
以下、本考案の形態を示す図面に基づき説明する。
図１は本考案にゴルフ小物を収納した場合の斜視図である。
図２は本考案のベルト通しを伸ばした状態の正面図である。
図５は本考案のベルト通しを折りたたんで装着した状態を示す参考図である。
図６は図５の装着状態で本考案のみ後方斜めから見た状態を示す斜視図である。
図７は本考案の収納状態を示した正面図である。
【００１３】
本体部（９）には磁性に反応する素材で出来たマーカー・フォークを収納するため磁石を内蔵するが、磁力はもとより本考案の形状及び軽量化を維持するには通常の磁石では対応できず、薄型（約１ｍｍ程度）で軽量、且つ強力で半永久的に持続する磁石を内蔵させる。
【００１４】
ティー収納部（４）は角官（６）を中心に反転し、固定具付きベロ（５）と（７）の着脱によりかぶせ蓋（８）の外・内側に収納させる。収納された状態が図７に示される。
【００１５】
本体部（９）とベルト通し（１０）の間に角官（１１）を挟むことによって容易に折りたたむことができ、折りたたんだ状態で装着しても本体がベルト上部から約１ｃｍ下がって装着される為、使用者のお腹への負担を減らす。
【００１６】
本考案の使用する素材としては軽量で加工が容易な皮革やナイロンなどの繊維素材が好ましい。
【００１７】
装着方法としてシャツなどの上着をズボンに入れてプレーするには図５の示す様にベルト通しを折りたたんだ状態で使用するのが最適である。この形状で使用すると本体が腰にフィットし、スウィングの際にも殆どストレスを感じさせず、ベルト上部より下がって装着されるので前屈みになってもお腹に負担が掛かりにくい構造になっている。また上着をズボンから出して装着する場合は図２の示す様にベルト通しを伸ばして使うのが最適で衣類に本体が固定される為、同様の効果がある。
【図面の簡単な説明】
【００１８】
【図１】本考案にゴルフ小物を収納した場合の斜視図である。
【図２】本考案のベルト通しを伸ばした状態の正面図である。
【図３】本考案のベルト通しを伸ばした状態の背面図である。
【図４】本考案の本体を開いた状態を示す正面図である。
【図５】本考案のベルト通しを折りたたんで装着した状態を示す参考図である。
【図６】図５の装着状態で本考案のみを後方斜めから見た状態を示す斜視図である。
【図７】本考案の収納状態（オフ時）を示した正面図である。
【符号の説明】
【００１９】
１  ショートティー保持部
２  ロングティー下部保持部
３  ロングティー上部保持部
４  反転式ティー収納部
５  固定具付きベロ（固定具１４と対）
６  角官（金具）
７  固定具付きベロ（固定具１５と対）
８  かぶせ蓋部
９  本体部（マーカー・フォーク収納部。磁石内蔵）
１０  ベルト通し
１１  角官（金具）
１２  固定具（固定具１３と対）
１３  固定具（固定具１２と対）
１４  固定具（固定具５に対応）
１５  固定具（固定具７に対応）
【００２０】
前記の符号の説明にある固定具とはホックやマジックテープ（商標登録）など着脱可能とする金具又は固定装置を指す。
【図１】
0003141531.tif 000003
【図２】
0003141531.tif 000004
【図３】
0003141531.tif 000005
【図４】
0003141531.tif 000006
【図５】
0003141531.tif 000007
【図６】
0003141531.tif 000008
【図７】
0003141531.tif 000009